(57)【特許請求の範囲】
【請求項１】
所定領域に配線された信号線を伝播されてきた信号の状態判別を行なう際に前記状態判別の基準として用いられる閾値を補正する閾値補正回路であって、
ノイズモニタ信号を生成する信号生成部と、
前記所定領域上に配線され、前記信号生成部によって生成された前記ノイズモニタ信号を入力されて伝播するノイズモニタ信号線と、
該ノイズモニタ信号線を伝播した前記ノイズモニタ信号に載ったノイズであって、前記閾値を用いた前記状態判別に影響を与えるノイズを検出するノイズ検出部と、
該ノイズ検出部によって前記ノイズを検出した場合に前記状態判別が前記ノイズの影響を受けないように前記閾値を調整する閾値調整部とをそなえて構成されていることを特徴とする、閾値補正回路。
【請求項２】
前記信号の状態判別として、前記信号のレベルが前記閾値以下である場合に前記信号の状態は低位状態であると判別する一方で前記信号のレベルが前記閾値を超えた場合に前記信号の状態は低位状態ではないと判別する状態判別を行なう際に、
前記信号生成部が、前記ノイズモニタ信号として低位状態のノイズモニタ信号を生成して前記ノイズモニタ信号線に入力し、
前記ノイズ検出部が、前記ノイズモニタ信号線を伝播した、低位状態であるべきノイズモニタ信号において、当該ノイズモニタ信号のレベルが前記閾値を超えた状態を、前記ノイズとして検出することを特徴とする、請求項１記載の閾値補正回路。
【請求項３】
前記信号の状態判別として、前記信号のレベルが前記閾値以上である場合に前記信号の状態は高位状態であると判別する一方で前記信号のレベルが前記閾値を下まわった場合に前記信号の状態は高位状態ではないと判別する状態判別を行なう際に、
前記信号生成部が、前記ノイズモニタ信号として高位状態のノイズモニタ信号を生成して前記ノイズモニタ信号線に入力し、
前記ノイズ検出部が、前記ノイズモニタ信号線を伝播した、高位状態であるべきノイズモニタ信号において、当該ノイズモニタ信号のレベルが前記閾値を下まわった状態を、前記ノイズとして検出することを特徴とする、請求項１記載の閾値補正回路。
【請求項４】
ノイズモニタ信号を生成する信号生成部と、
前記信号生成部によって生成された前記ノイズモニタ信号を出力するノイズモニタ信号出力端子と、
前記出力されたノイズモニタ信号を入力するノイズモニタ信号入力端子と、
該ノイズモニタ信号入力端子から入力された前記ノイズモニタ信号に載ったノイズであって、閾値を用いた状態判別に影響を与えるノイズを検出するノイズ検出部と、
該ノイズ検出部によって前記ノイズを検出した場合に前記状態判別が前記ノイズの影響を受けないように前記閾値を調整する閾値調整部とをそなえて構成されていることを特徴とする、回路。
【請求項５】
信号線を介して信号のやり取りを行なうとともに前記信号線を伝播されてきた前記信号の状態判別を閾値を基準にして行なう、少なくとも２の集積回路をそなえられた回路基板であって、
ノイズモニタ信号を生成する信号生成部と、
前記少なくとも２の集積回路の間に配線され、前記信号生成部によって生成された前記ノイズモニタ信号を入力されて伝播するノイズモニタ信号線と、
該ノイズモニタ信号線を伝播した前記ノイズモニタ信号に載ったノイズであって、前記閾値を用いた前記状態判別に影響を与えるノイズを検出するノイズ検出部と、
該ノイズ検出部によって前記ノイズを検出した場合に前記状態判別が前記ノイズの影響を受けないように前記閾値を調整する閾値調整部とをそなえて構成されていることを特徴とする、閾値補正機能付き回路基板。
【発明の詳細な説明】
【技術分野】
【０００１】
本発明は、例えばＰＣＢ（Printed Circuit Board）等の回路基板上の信号線を伝播されてきた信号の状態判別（その信号のレベルが低位状態であるか高位状態であるかの判別）を行なう際にその状態判別の基準として用いられる閾値を補正する技術に関する。
【背景技術】
【０００２】
一般に、ＰＣＢ等の回路基板上には、集積回路等の各種素子が配置されるとともにこれらの素子間に信号線が配線され、その信号線を介して素子間で信号がやり取りされるようになっている。このとき、信号線を介して素子間でやり取りされる信号のレベル（電位）が低位状態（Low状態）と高位状態（High状態）とのいずれか一方の電位状態をとることにより、“０”，“１”の２値情報が上記素子間でやり取りされる。【０００３】
このような信号を受信する側（例えば集積回路）においては、信号線を伝播されてきた信号のレベルが低位状態（Low状態つまり“０”）であるか高位状態（High状態つまり“１”）であるかの状態判別を行なうことになる。この状態判別は、閾値（閾値電位）を基準にして行なわれる。例えば、信号レベルとして通常のＴＴＬ（Transistor-Transistor Logic）レベルを採用した場合、信号の振幅電圧は５Ｖであり、信号のレベル（電位）が０．８Ｖ以下であれば低位状態と判別され、信号のレベル（電位）が２．４Ｖ以上であれば高位状態と判別され、レベル（電位）が０．８Ｖと２．４Ｖとの間であればどちらの状態でもないグレイゾーンと判別される。つまり、通常のＴＴＬでは、低位状態判別用の閾値（０．８Ｖ）および高位状態判別用の閾値（２．４Ｖ）を基準にして、それぞれ低位状態および高位状態の判別が行なわれている。【０００４】
なお、閾値を用いて状態判定を行なう技術としては、例えば下記特許文献１に開示されるような技術が提案されている。この特許文献１においては、入力音声パタンと複数の標準パタンとの類似度をそれぞれ算出し、算出された類似度と所定の閾値との比較を行なって音声認識を行なうことが開示されている。特に、この特許文献１では、上記閾値を予め厳しく（小さく）設定しておき誤認識の防止をはかり、当初の閾値でリジェクトになった入力音声の再入力時に、上記閾値を大きく設定することが開示されている。つまり、音声認識結果（リジェクトの状況）に応じて閾値が動的に設定されている。
【特許文献１】特開平４−１５２３９７号公報
【発明の開示】
【発明が解決しようとする課題】
【０００５】
ところで、近年、例えばローレベル（Low Level）-ＴＴＬやＳＳＴＬ（Stub Series Terminated Logic）-２では、回路基板上での信号伝送を高速化するために信号の小振幅化（振幅電圧の低電圧化）がはかられているほか、プロセスの進捗や信号伝送に要する電力の低減といった要望に伴い信号の振幅電圧はより低くなってきている。具体的に、ローレベル-ＴＴＬでは、信号の振幅電圧は３．３Ｖであり、信号のレベル（電位）が０．８Ｖ以下であれば低位状態と判別され、信号のレベル（電位）が２．０Ｖ以上であれば高位状態と判別され、レベル（電位）が０．８Ｖと２．０Ｖとの間であればどちらの状態でもないグレイゾーンと判別される。つまり、低位状態判別用の閾値（０．８Ｖ）および高位状態判別用の閾値（２．０Ｖ）を基準にして、それぞれ低位状態および高位状態の判別が行なわれている。【０００６】
しかしながら、上述のような信号の小振幅化は、高速伝送や低電力化には都合がよいが、小振幅化を行なうことで、信号線を伝播する信号はノイズの影響を受けやすくなり、信号の状態判別に際して誤った判別を行なう可能性が高くなってしまう。例えば、近接して配線される信号線からのクロストークノイズや、同時スイッチングノイズや、回路基板外からの外来ノイズや、回路基板における実装上の問題によって引き起こされる電源ノイズ／グラウンドノイズなどを、無視することができなくなる場合がある。なお、上記特許文献１に開示された技術は、上述した通り音声認識用閾値に係るもので、本願発明のごとく回路基板上の信号線を伝播されてきた信号の状態判別用閾値に係るものではない。【０００７】
本発明は、このような課題に鑑み創案されたもので、回路基板上の信号線における信号が受ける各種ノイズのモニタ、および、そのノイズの影響を考慮した信号状態判別用閾値の自動調整を可能にして、高速伝送や低電力化のために信号の小振幅化を行なっても各種ノイズの影響を受けることなく信号状態判別を確実に行なえるようにすることを目的とする。
【課題を解決するための手段】
【０００８】
上記目的を達成するために、本発明の閾値補正回路は、所定領域に配線された信号線を伝播されてきた信号の状態判別を行なう際に前記状態判別の基準として用いられる閾値を補正するものであって、ノイズモニタ信号を生成する信号生成部と、前記所定領域上に配線され、前記信号生成部によって生成された前記ノイズモニタ信号を入力されて伝播するノイズモニタ信号線と、該ノイズモニタ信号線を伝播した前記ノイズモニタ信号に載ったノイズであって前記閾値を用いた前記状態判別に影響を与えるノイズを検出するノイズ検出部と、該ノイズ検出部によって前記ノイズを検出した場合に前記状態判別が前記ノイズの影響を受けないように前記閾値を調整する閾値調整部とをそなえて構成されていることを特徴としている。【０００９】
また、本発明の回路は、ノイズモニタ信号を生成する信号生成部と、前記信号生成部によって生成された前記ノイズモニタ信号を出力するノイズモニタ信号出力端子と、前記出力されたノイズモニタ信号を入力するノイズモニタ信号入力端子と、該ノイズモニタ信号入力端子から入力された前記ノイズモニタ信号に載ったノイズであって、閾値を用いた状態判別に影響を与えるノイズを検出するノイズ検出部と、該ノイズ検出部によって前記ノイズを検出した場合に前記状態判別が前記ノイズの影響を受けないように前記閾値を調整する閾値調整部とをそなえて構成されていることを特徴としている。なお、本発明に関連する閾値補正機能付き集積回路は、回路基板上にそなえられ、該回路基板上の他の集積回路と信号線を介して信号のやり取りを行なうとともに、前記信号線を伝播されてきた前記信号の状態判別を、閾値を基準にして行なう集積回路であって、ノイズモニタ信号を生成する信号生成部と、前記回路基板上において当該集積回路から当該集積回路まで折り返してくるように配線されたノイズモニタ信号線に対し、前記信号生成部によって生成された前記ノイズモニタ信号を出力するノイズモニタ信号出力端子と、前記ノイズモニタ信号線を伝播されてきた前記ノイズモニタ信号を前記ノイズモニタ信号線から当該集積回路に対し入力するノイズモニタ信号入力端子と、該ノイズモニタ信号入力端子から入力された前記ノイズモニタ信号に載ったノイズであって前記閾値を用いた前記状態判別に影響を与えるノイズを検出するノイズ検出部と、該ノイズ検出部によって前記ノイズを検出した場合に前記状態判別が前記ノイズの影響を受けないように前記閾値を調整する閾値調整部とをそなえて構成されていることを特徴としている。
【００１０】
さらに、本発明の閾値補正機能付き回路基板は、信号線を介して信号のやり取りを行なうとともに前記信号線を伝播されてきた前記信号の状態判別を閾値を基準にして行なう、少なくとも２の集積回路をそなえられた回路基板であって、ノイズモニタ信号を生成する信号生成部と、前記少なくとも２の集積回路の間に配線され、前記信号生成部によって生成された前記ノイズモニタ信号を入力されて伝播するノイズモニタ信号線と、該ノイズモニタ信号線を伝播した前記ノイズモニタ信号に載ったノイズであって前記閾値を用いた前記状態判別に影響を与えるノイズを検出するノイズ検出部と、該ノイズ検出部によって前記ノイズを検出した場合に前記状態判別が前記ノイズの影響を受けないように前記閾値を調整する閾値調整部とをそなえて構成されていることを特徴としている。この場合、前記信号生成部，前記ノイズ検出部および前記閾値調整部を、前記少なくとも２の集積回路の一つにそなえるとともに、前記ノイズモニタ信号線を、当該集積回路から他の集積回路の近傍まで配線されその近傍から当該集積回路まで折り返してくるように配線する。【００１１】
上述した閾値補正回路，回路，閾値補正機能付き集積回路や閾値補正機能付き回路基板において、前記信号の状態判別として、前記信号のレベルが前記閾値以下である場合に前記信号の状態は低位状態であると判別する一方で前記信号のレベルが前記閾値を超えた場合に前記信号の状態は低位状態ではないと判別する状態判別を行なう際に、前記信号生成部が、前記ノイズモニタ信号として低位状態のノイズモニタ信号を生成して前記ノイズモニタ信号線に入力し、前記ノイズ検出部が、前記ノイズモニタ信号線を伝播した、低位状態であるべきノイズモニタ信号において、当該ノイズモニタ信号のレベルが前記閾値を超えた状態を、前記ノイズとして検出してもよく、さらに、前記ノイズ検出部が、当該ノイズモニタ信号のレベルが前記閾値以下の状態から前記閾値を超えた状態になる信号立上りの回数と当該ノイズモニタ信号のレベルが前記閾値を超えた状態から前記閾値以下の状態になる信号立下りの回数との少なくとも一方を計数し、前記閾値調整部が、前記ノイズ検出部による計数値に応じて前記閾値を調整してもよい。この場合、前記閾値調整部が、前記計数値が大きいほど前記閾値が高くなるように前記閾値を調整する。
【００１２】
また、上述した閾値補正回路，回路，閾値補正機能付き集積回路や閾値補正機能付き回路基板において、前記信号の状態判別として、前記信号のレベルが前記閾値以上である場合に前記信号の状態は高位状態であると判別する一方で前記信号のレベルが前記閾値を下まわった場合に前記信号の状態は高位状態ではないと判別する状態判別を行なう際に、前記信号生成部が、前記ノイズモニタ信号として高位状態のノイズモニタ信号を生成して前記ノイズモニタ信号線に入力し、前記ノイズ検出部が、前記ノイズモニタ信号線を伝播した、高位状態であるべきノイズモニタ信号において、当該ノイズモニタ信号のレベルが前記閾値を下まわった状態を、前記ノイズとして検出してもよく、さらに、前記ノイズ検出部が、当該ノイズモニタ信号のレベルが前記閾値以上の状態から前記閾値を下まわった状態になる信号立下りの回数と当該ノイズモニタ信号のレベルが前記閾値を下まわった状態から前記閾値以上の状態になる信号立上りの回数との少なくとも一方を計数し、前記閾値調整部が、前記ノイズ検出部による計数値に応じて前記閾値を調整してもよい。この場合、前記閾値調整部が、前記計数値が大きいほど前記閾値が低くなるように前記閾値を調整する。
【発明の効果】
【００１３】
このように、本発明によれば、信号生成部によって生成されたノイズモニタ信号が、所定領域（回路基板上で信号線を介して信号のやり取りを行なう集積回路の間の領域）に配線されたノイズモニタ信号線を伝播し、ノイズ検出部において、ノイズモニタ信号線上でノイズモニタ信号に載ったノイズのうち、閾値を用いた状態判別に影響を与えるノイズが検出され、ノイズ検出部によってノイズが検出された場合には、状態判別がノイズの影響を受けないように閾値調整部によって閾値が調整される。つまり、回路基板上の信号線における信号が受ける各種ノイズがモニタされ、そのノイズの影響を考慮した信号状態判別用閾値が自動調整されることになり、高速伝送や低電力化のために信号の小振幅化を行なっても各種ノイズの影響を受けることなく信号状態判別が確実に行なわれる。
【図面の簡単な説明】
【００１４】
【図１】本発明の一実施形態としての閾値補正機能付き集積回路（閾値補正回路）をそなえた閾値補正機能付き回路基板の構成を示すブロック図である。
【図２】本発明の一実施形態としての閾値補正機能付き集積回路（閾値補正回路）の機能構成を示すブロック図である。
【図３】本実施形態の閾値補正機能付き集積回路（閾値補正回路）における状態判別部の具体的な構成例を示す図である。
【図４】第１の閾値調整手法を適用された本実施形態の閾値補正機能付き集積回路（閾値補正回路）の要部構成を示す図である。
【図５】第２の閾値調整手法を適用された本実施形態の閾値補正機能付き集積回路（閾値補正回路）の要部構成を示す図である。
【図６】本実施形態の閾値補正動作を説明すべく、ノイズの載ったノイズモニタ信号の波形例を示す図である。
【図７】本実施形態の閾値補正動作を説明すべく、ノイズの載ったノイズモニタ信号の波形例を示す図である。
【図８】本実施形態の閾値補正機能付き集積回路（閾値補正回路）の動作を説明するためのフローチャートである。
【符号の説明】
【００１５】
１    閾値補正機能付き回路基板（ＰＣＢ）
２    閾値補正機能付き集積回路
２ａ    信号入力端子
２ｂ    ノイズモニタ信号出力端子
２ｃ    ノイズモニタ信号入力端子
３    集積回路（他の集積回路）
３ａ    信号出力端子
４    信号線
５    ノイズモニタ信号線
６    状態判別部
６１    入力回路（インバータ）
６２，６３    可変抵抗器（Ｒ１，Ｒ２）
６３ａ，６３ｂ，６３ｃ    抵抗（ｒ１，ｒ２，ｒ３）
６３ｄ，６３ｅ，６３ｆ    切換用トランジスタ
６３ｇ    可変抵抗用トランジスタ
１０    閾値補正回路
１１    切換部（スイッチ）
１２    信号生成部
１３    ノイズ検出部（カウンタ）
１４    閾値調整部（デマルチプレクサ，Ｄ／Ａ変換器）
１５    制御部
【発明を実施するための最良の形態】
【００１６】
以下、図面を参照して本発明の実施の形態を説明する。
まず、図１を参照しながら、本発明の一実施形態としての閾値補正機能付き集積回路２（閾値補正回路１０）をそなえた閾値補正機能付き回路基板１の構成について説明する。
図１はその回路基板１の構成を示すブロック図で、この図１に示すように、本実施形態の回路基板（ＰＣＢ）１においては、少なくとも２つの集積回路２，３がそなえられ、これらの集積回路２，３の間に信号線４が配線されている。信号線４は、バス構成であっても片方向通信路であってもよいが、ここでは、集積回路３から集積回路２へ信号を伝送する片方向通信路とする。つまり、信号線４の一端は、集積回路３の信号出力端子３ａに接続され、信号線４の他端は、集積回路２の信号入力端子２ａに接続されている。これにより、集積回路２，３の相互間の信号伝送が信号線４を介して行なわれる。【００１７】
なお、このとき、集積回路２，３双方の信号レベルは合致していることが前提となっている。その信号レベルとしては、例えばＴＴＬレベル，ＣＭＯＳ（Complementary Metal Oxided Semiconductor）レベル，ＥＣＬ（Emitter Coupled Logic）レベルのほか前述したローレベルＴＴＬやＳＳＴＬ-２などが挙げられる。また、少なくとも集積回路２においては、集積回路３から信号線４を介して伝播されてきた信号の状態判別が、後述の状態判別部６（図２参照）により、所定の閾値を基準にして行なわれるようになっている。【００１８】
そして、本実施形態の回路基板１において、２つの集積回路２，３の間の領域で信号線４に沿う領域（所定領域）には、ノイズモニタ信号線５が配線されている。このノイズモニタ信号線５は、一端を集積回路２のノイズモニタ信号出力端子２ｂに接続されるとともに、他端を当該集積回路２のノイズモニタ信号入力端子２ｃに接続されており、当該集積回路２から通信相手（信号伝送元）である集積回路３の近傍まで配線されその近傍から当該集積回路２まで折り返してくるように配線されている。ノイズモニタ信号線５には、当該集積回路２における後述の信号生成部１２（図２参照）によって生成されたノイズモニタ信号がノイズモニタ信号出力端子２ｂを通じて入力され、ノイズモニタ信号線５を伝播したノイズモニタ信号は、ノイズモニタ信号線５からノイズモニタ信号入力端子２ｃを通じて当該集積回路２内に入力されるようになっている。【００１９】
次に、図２を参照しながら、本発明の一実施形態としての閾値補正機能付き集積回路２（閾値補正回路１０）の機能構成について説明する。
図２はその機能構成を示すブロック図で、この図２に示すように、本実施形態の閾値補正機能付き集積回路２は、図示省略の内部回路（集積回路２本来の機能を果たす回路部分）をそなえるほか、状態判別部６，切換部１１，信号生成部１２，ノイズ検出部１３，閾値調整部１４および制御部１５をそなえて構成されている。【００２０】
ここで、状態判別部６は、他の集積回路３から信号線４を通じて伝播されてきた信号を受けその信号を上記内部回路に入力するための入力部として機能するもので、信号線４を伝播されてきた信号の状態判別を、所定の閾値を基準にして行なうものである。この状態判別部６としての機能は、一般的な集積回路の入力部にもそなえられているが、一般的な集積回路では所定の閾値が固定的に設定されているのに対し、本実施形態における状態判別部６においては、図３〜図５を参照しながら後述する構成により、所定の閾値を変更可能（可変）に構成されている。また、本実施形態の状態判別部６には、後述の切換部１１を介して、他の集積回路３から信号線４を通じて伝播されてきた信号、および、ノイズモニタ信号線５を伝播されてきたノイズモニタ信号のいずれか一方が入力されるようになっており、集積回路２が通常の動作を行なう際には信号線４を通じて伝播されてきた信号が入力され、後述するノイズモニタ期間中にはノイズモニタ信号線５を伝播されてきたノイズモニタ信号が入力されるようになっている。【００２１】
この状態判別部６においては、所定の閾値としての低位状態判別用閾値もしくは高位状態判別用閾値を基準にして信号の状態判別が行なわれるものとする。つまり、本実施形態の状態判別部６は、判別対象の信号のレベルが低位状態判別用閾値以下である場合に当該信号の状態は低位状態であると判別する一方で当該信号のレベルが低位状態判別用閾値を超えた場合に当該信号の状態は低位状態ではないと判別する低位状態判別、もしくは、判別対象の信号のレベルが高位状態判別用閾値以上である場合に当該信号の状態は高位状態であると判別する一方で当該信号のレベルが高位状態判別用閾値を下まわった場合に当該信号の状態は高位状態ではないと判別する高位状態判別を行なうものとする。【００２２】
より具体的に説明すると、本実施形態の状態判別部６は、上記低位状態判別を行なう場合、判別対象の信号のレベルが低位状態判別用閾値以下であると低位状態（Low状態／“０”）の信号を出力する一方、判別対象の信号のレベルが低位状態判別用閾値を超えると高位状態（High状態／“１”）の信号を出力するようになっている。また、本実施形態の状態判別部６は、上記高位状態判別を行なう場合、判別対象の信号のレベルが高位状態判別用閾値以上であると高位状態（LoHigh状態／“１”）の信号を出力する一方、判別対象の信号のレベルが高位状態判別用閾値を下まわると低位状態（Low状態／“０”）の信号を出力するようになっている。なお、上述した低位状態判別および高位状態判別については、いずれか一方のみを行なってもよいし、両方を行なってもよい。【００２３】
また、本実施形態の集積回路２には、図１を参照しながら前述した通り、信号線４を伝播されてきた集積回路３からの信号を信号線４から本集積回路２に対し入力する信号入力端子２ａと、後述する信号生成部１２（図２参照）によって生成されたノイズモニタ信号をノイズモニタ信号線５に対し出力するノイズモニタ信号出力端子２ｂと、ノイズモニタ信号線５を伝播されてきたノイズモニタ信号をノイズモニタ信号線５から本集積回路２に対し入力するノイズモニタ信号入力端子２ｃとがそなえられている。なお、信号入力端子２ａは、一般的な集積回路に通常そなえられているものであり、ノイズモニタ信号出力端子２ｂおよびノイズモニタ信号入力端子２ｃは、本発明を実現すべく新たにそなえられたものである。【００２４】
切換部１１は、後述の制御部１５によって制御され、上述した通り、集積回路２が通常の動作を行なう際には信号線４を通じて伝播されてきた信号を状態判別部６に入力すべく、信号入力端子２ａ（信号線４）と状態判別部６とを接続する一方で、ノイズモニタを行なう際（ノイズモニタ期間中）にはノイズモニタ信号線５を伝播されてきたノイズモニタ信号を状態判別部６に入力すべく、ノイズモニタ信号入力端子２ｃ（ノイズモニタ信号線５）と状態判別部６とを接続するように切り換えられるスイッチとして機能するものである。【００２５】
信号生成部１２は、後述の制御部１５によって制御され、ノイズモニタ期間中にノイズモニタ信号を生成するものである。この信号生成部１２は、状態判別部６が低位状態判別を行なう場合、低位状態（Low状態／“０”）のノイズモニタ信号を生成してノイズモニタ信号出力端子２ｂからノイズモニタ信号線５に入力する一方、状態判別部６が高位状態判別を行なう場合、高位状態（High状態／“１”）のノイズモニタ信号を生成してノイズモニタ信号出力端子２ｂからノイズモニタ信号線５に入力する。状態判別部６が低位状態判別および高位状態判別の両方を行なう場合、信号生成部１２は、例えば図６および図７を参照しながら後述するように、低位状態（Low状態／“０”）と高位状態（High状態／“１”）とを一定周期で交互に繰り返すクロック信号のごときノイズモニタ信号をノイズモニタ期間中に生成する。なお、状態判別部６が低位状態判別および高位状態判別のいずれか一方のみを行なう場合に上述のようなクロック信号をノイズモニタ信号として生成して用いてもよく、本実施形態では、この場合に対応した構成を採用した例について説明する。【００２６】
ノイズ検出部１３は、後述の制御部１５によって制御され、ノイズモニタ期間中に、ノイズモニタ信号線５を伝播されて戻ってきたノイズモニタ信号（ノイズモニタ信号入力端子２ｃから入力されたノイズモニタ信号）に載ったノイズであって、状態判別部６による低位状態判別用閾値もしくは高位状態判別用閾値を用いた低位状態判別もしくは高位状態判別に影響を与えるノイズを検出するものである。【００２７】
特に、本実施形態のノイズ検出部１３は、ノイズモニタ期間中に、状態判別部６からの出力（閾値による状態判別結果）をモニタし、状態判別部６が低位状態判別を行なう場合、ノイズモニタ信号線５を伝播した、低位状態であるべきノイズモニタ信号において、当該ノイズモニタ信号のレベルが低位状態判別用閾値を超えた状態をノイズとして検出する。より具体的に説明すると、本実施形態において、ノイズ検出部１３は、状態判別部６からの出力（閾値による状態判別結果）の信号立上りの回数と信号立下りの回数との少なくとも一方を計数することにより、当該ノイズモニタ信号のレベルが低位状態判別用閾値以下の状態から低位状態判別用閾値を超えた状態になる信号立上りの回数と当該ノイズモニタ信号のレベルが低位状態判別用閾値を超えた状態から低位状態判別用閾値以下の状態になる信号立下りの回数との少なくとも一方を計数するカウンタとして機能する。【００２８】
また、本実施形態のノイズ検出部１３は、状態判別部６が高位状態判別を行なう場合、ノイズモニタ信号線５を伝播した、高位状態であるべきノイズモニタ信号において、当該ノイズモニタ信号のレベルが高位状態判別用閾値を下まわった状態をノイズとして検出する。この場合も、ノイズ検出部１３は、状態判別部６からの出力（閾値による状態判別結果）の信号立上りの回数と信号立下りの回数との少なくとも一方を計数することにより、当該ノイズモニタ信号のレベルが高位状態判別用状態から高位状態判別用閾値を下まわった状態になる信号立下りの回数と当該ノイズモニタ信号のレベルが高位状態判別用閾値を下まわった状態から高位状態判別用閾値以上の状態になる信号立上りの回数との少なくとも一方を計数するカウンタとして機能する。【００２９】
このノイズ検出部１３のカウンタ機能によって得られた計数値に基づいてノイズの有無（ノイズモニタ信号にノイズが載っているか否か）が検出される。つまり、ノイズが全く載らない場合にノイズ検出部１３によって計数される理想的計数値（回数）は、ノイズモニタ期間の長さや信号生成部１２の周期に基づいて予め求めることが可能であり、ノイズ検出部１３によって得られた実測計数値が理想的計数値を超えている場合にノイズモニタ信号にノイズが載っているものと判断することが可能である。また、ノイズ検出部１３によって得られた実測計数値が理想的計数値をどの程度超えているか（実測計数値と理想的計数値との差）を見ることによって、ノイズモニタ信号が、現状の閾値設定で信号がノイズから受ける影響の度合いを判断することも可能である。例えば、実測計数値が理想的計数値を大きく超えている場合、現状の閾値設定が厳しく、ノイズモニタ信号線５（つまりは信号線４）を伝播する信号がノイズを拾いやすい状況であると判断することが可能である。【００３０】
閾値調整部１４は、後述の制御部１５によって制御され、ノイズ検出部１３によってノイズが検出された場合に状態判別部６による状態判別がノイズの影響を受けないように低位状態判別用閾値もしくは高位状態判別用閾値を調整するもので、具体的には図４および図５を参照しながらそれぞれ後述するようなデマルチプレクサおよびＤ／Ａ変換器のいずれか一方として構成されている。【００３１】
特に、本実施形態の閾値調整部１４は、状態判別部６が低位状態判別を行なう場合、ノイズ検出部１３による計数値に応じて低位状態判別用閾値を調整するもので、その際、計数値が大きいほど（つまり実測計数値と理想的計数値との差が大きいほど）低位状態判別用閾値が高くなるように状態判別部６における低位状態判別用閾値を調整する。また、本実施形態の閾値調整部１４は、状態判別部６が高位状態判別を行なう場合、ノイズ検出部１３による計数値に応じて前記閾値を調整するもので、その際、計数値が大きいほど（つまり実測計数値と理想的計数値との差が大きいほど）高位状態判別用閾値が低くなるように状態判別部６における高位状態判別用閾値を調整する。【００３２】
このとき、実測計数値（もしくは実測計数値と理想的計数値との差）に応じて閾値の調整量（１回当たりの閾値の変更量）を変更してもよいし、閾値の調整量を常に一定に設定しておき、ノイズ検出部１３によってノイズが検出されなくなるまで（つまり実測計数値と理想的計数値とが一致するまで）、上述したノイズモニタおよび閾値調整を繰り返し行なってもよい。【００３３】
制御部１５は、回路基板１（集積回路２）の立ち上げ（電源投入）の際、もしくは、定期的な閾値調整指示や外部からの不定期な閾値調整指示を受けた際に、所定期間のノイズモニタ期間を設定し、ノイズ検出部１３によってノイズが検出されなくなるように（つまり実測計数値を理想的計数値に一致させるように）、切換部１１，信号生成部１２，ノイズ検出部１３および閾値調整部１４の動作を制御するものである。【００３４】
なお、上述のごとく構成された回路基板１および集積回路２において、本実施形態の閾値補正回路１０は、図２に示すように、回路基板１上に配線されたノイズモニタ信号線５と、集積回路２内にそなえられた切換部１１，信号生成部１２，ノイズ検出部１３，閾値調整部１４および制御部１５とによって構成されることになる。
次に、図３を参照しながら、本実施形態の閾値補正機能付き集積回路２（閾値補正回路１０）における状態判別部６の具体的な構成例について説明する。【００３５】
図３はその具体的な構成例を示す図であり、この図３に示すように、本実施形態の状態判別部６は、入力回路６１および可変抵抗器６２，６３から構成されている。
入力回路６１は、切換部１１を通じて信号線４からの信号もしくはノイズモニタ信号線５からのノイズモニタ信号を入力され、その信号の状態判別結果を内部回路（図示略）やノイズ検出部１３に出力するもので、一対のＰチャンネルトランジスタおよびＮチャンネルトランジスタからなるインバータとして構成されている。【００３６】
可変抵抗器６２，６３は、例えば図４や図５を参照しながら後述するごとく構成される入力回路６１の入力側に設けられている。可変抵抗器６２は、電源ＶＣＣと入力回路（インバータ）６１の入力ラインとの間に介装され、可変抵抗器６３は、入力回路（インバータ）６１の入力ラインとグラウンド（ＧＮＤ）との間に介装されている。
これらの可変抵抗器６２，６３は、状態判別部６（入力回路６１）による状態判別の基準となる低位状態判別用閾値もしくは高位状態判別用閾値を設定変更しうるもので、閾値調整部１４からの指示に従ってそれぞれ抵抗値Ｒ１，Ｒ２を変更設定することにより、低位状態判別用閾値もしくは高位状態判別用閾値を調整するようになっている。なお、可変抵抗器６２，６３は、両方とも抵抗値可変な状態であってもよいし、いずれか一方のみが抵抗値可変な状態であってもよい。【００３７】
このような状態判別部６において、抵抗値Ｒ１を小さくするか抵抗値Ｒ２を大きくすると（もしくは、抵抗値Ｒ１を小さくすると同時に抵抗値Ｒ２を大きくすると）、低位状態判別用閾値もしくは高位状態判別用閾値は高くなるように変更され、逆に、抵抗値Ｒ１を大きくするか抵抗値Ｒ２を小さくすると（もしくは、抵抗値Ｒ１を大きくすると同時に抵抗値Ｒ２を小さくすると）、低位状態判別用閾値もしくは高位状態判別用閾値は低くなるように変更される。【００３８】
このように閾値調整部１４によって可変抵抗器６２，６３における抵抗値Ｒ１，Ｒ２を変更設定することにより、低位状態判別用閾値もしくは高位状態判別用閾値が変更され、その閾値に応じた状態判別が入力回路（インバータ）６１によって行なわれる。つまり、入力回路６１は、入力された信号のレベルが低位状態判別用閾値以下であると低位状態（Low状態／“０”）の信号を出力する一方で入力された信号のレベルが低位状態判別用閾値を超えると高位状態（High状態／“１”）の信号を出力する低位状態判別、もしくは、入力された信号のレベルが高位状態判別用閾値以上であると高位状態（High状態／“１”）の信号を出力する一方で入力された信号のレベルが高位状態判別用閾値を下まわると低位状態（Low状態／“０”）の信号を出力する高位状態判別を行なうことになる。【００３９】
ここで、図４および図５を参照しながら、可変抵抗器６３の構成について説明する。
図４は第１の閾値調整手法を適用された本実施形態の閾値補正機能付き集積回路２（閾値補正回路１０）の要部構成を示す図で、この図４に示す可変抵抗器６３は、異なる抵抗値ｒ１，ｒ２，ｒ３をそれぞれ有する３つの抵抗６３ａ，６３ｂ，６３ｃと、これらの抵抗６３ａ，６３ｂ，６３ｃのそれぞれに対して直列に接続された切換用トランジスタ６３ｄ，６３ｅ，６３ｆとをそなえて構成されている。抵抗６３ａ，６３ｂ，６３ｃは、入力回路（インバータ）６１の入力ラインとグラウンド（ＧＮＤ）との間において並列に介装されている。【００４０】
また、図４に示す例では、閾値調整部１４が、ノイズ検出部（カウンタ）１３による計数値（もしくは実測計数値と理想的計数値との差）に応じ、３つの抵抗６３ａ，６３ｂ，６３ｃのうちの少なくとも一つを用いるべく切換用トランジスタ６３ｄ，６３ｅ，６３ｆの少なくとも一つをオン駆動（ゲート電圧印加）するデマルチプレクサ（選択器）として構成されている。このとき、状態判別部６が低位状態判別を行なう場合、計数値が大きいほど抵抗値Ｒ２を大きくして低位状態判別用閾値が高くなるように抵抗６３ａ，６３ｂ，６３ｃの選択が行なわれる一方、状態判別部６が高位状態判別を行なう場合、計数値が大きいほど抵抗値Ｒ２を小さくして高位状態判別用閾値が低くなるように抵抗６３ａ，６３ｂ，６３ｃの選択が行なわれる。【００４１】
なお、図４では、可変抵抗器６３の構成のみを図示しているが、可変抵抗器６２についても、図４に示した可変抵抗器６３と同様に構成することができる。このとき、可変抵抗器６２においては、状態判別部６が低位状態判別を行なう場合、計数値が大きいほど抵抗値Ｒ１を小さくして低位状態判別用閾値が高くなるように抵抗の選択が行なわれる一方、状態判別部６が高位状態判別を行なう場合、計数値が大きいほど抵抗値Ｒ１を大きくして高位状態判別用閾値が低くなるように抵抗の選択が行なわれる。【００４２】
図５は第２の閾値調整手法を適用された本実施形態の閾値補正機能付き集積回路２（閾値補正回路１０）の要部構成を示す図で、この図５に示す例では、可変抵抗器６３は可変抵抗用トランジスタ６３ｇとして構成されており、このトランジスタ６３ｇが、入力回路（インバータ）６１の入力ラインとグラウンド（ＧＮＤ）との間に介装されている。
また、図５に示す例では、閾値調整部１４が、ディジタル信号（２値信号）をアナログ信号（電圧）に変換するＤ／Ａ（Digital/Analog）変換器として構成されており、ディジタル信号として与えられるノイズ検出部（カウンタ）１３による計数値（もしくは実測計数値と理想的計数値との差）を、その計数値に応じた電圧に変換し、得られた電圧を可変抵抗用トランジスタ６３ｇのゲートに印加することにより、可変抵抗用トランジスタ６３ｇのオン抵抗値（Ｒ２）を変更している。このとき、状態判別部６が低位状態判別を行なう場合、計数値が大きいほど可変抵抗用トランジスタ６３ｇのオン抵抗値（Ｒ２）を大きくして低位状態判別用閾値が高くなるようにゲート電圧が生成されて印加される一方、状態判別部６が高位状態判別を行なう場合、計数値が大きいほど可変抵抗用トランジスタ６３ｇのオン抵抗値（Ｒ２）を小さくして高位状態判別用閾値が低くなるようにゲート電圧が生成されて印加される。【００４３】
なお、図５でも、可変抵抗器６３の構成のみを図示しているが、可変抵抗器６２についても、図５に示した可変抵抗器６３と同様に構成することができる。このとき、可変抵抗器６２においては、状態判別部６が低位状態判別を行なう場合、計数値が大きいほど可変抵抗用トランジスタのオン抵抗値（Ｒ１）を小さくして低位状態判別用閾値が高くなるようにゲート電圧が生成されて印加される一方、状態判別部６が高位状態判別を行なう場合、計数値が大きいほど可変抵抗用トランジスタのオン抵抗値（Ｒ１）を大きくして高位状態判別用閾値が低くなるようにゲート電圧が生成されて印加される。【００４４】
本実施形態の集積回路２（閾値補正回路１０）では、上述のごとく、低位状態もしくは高位状態のノイズモニタ信号を出力するノイズモニタ信号出力端子２ｂがそなえられ、そのノイズモニタ信号出力端子２ｂからノイズモニタ信号線（配線路）５にノイズモニタ信号が出力され、ノイズモニタ信号線５を経由したノイズモニタ信号がノイズモニタ信号入力端子２ｃから集積回路２に再入力される。再入力されたノイズモニタ信号に基づき、ノイズモニタ信号線５が配線されている領域でのノイズ状況が、ノイズ検出部１３によってモニタリングされることになる。このような構成により、電源系のノイズやクロストークノイズを拾った信号のモニタが可能となる。そして、モニタリングされたノイズ状況に基づいて、状態判別部６で用いられるべき閾値の最適レベルを判断することが可能になる。そして、閾値調整部１４により、状態判別部６における閾値が上記最適レベルとなるように閾値の調整（可変抵抗器６２，６３の抵抗値の調整）が行なわれる。【００４５】
つまり、本実施形態では、状態判別部６において予め設定された閾値を用いて状態判別を行ないながら、ノイズモニタ信号を用いてノイズの観測を行なって閾値調整を行なう。例えば、低位状態のノイズモニタ信号を出力しながら低位状態判定用閾値を超える信号が観測されれば（例えば図６参照；状態判別部６の出力が低位状態から高位状態になった場合）、低位状態の信号に載るノイズを無視できるようにすべく、低位状態判定用閾値を上げる調整（上側シフト）を行なう。逆に、高位状態のノイズモニタ信号を出力しながら高位状態判定用閾値を下まわる信号が観測されれば（例えば図７参照；状態判別部６の出力が高位状態から低位状態になった場合）、高位状態の信号に載るノイズを無視できるようにすべく、高位状態判定用閾値を下げる調整（下側シフト）を行なう。これにより、状態判別部６の入力回路（インバータ）６１を正しく調律できたことになり、集積回路２は、外部のノイズに強い回路となる。【００４６】
ついで、図６および図７を参照しながら、図８に示すフローチャート（ステップＳ１〜Ｓ７）に従って、上述のごとく構成された本実施形態の閾値補正機能付き集積回路２（閾値補正回路１０）による閾値補正動作について説明する。ここで、図６および図７は、本実施形態の閾値補正動作を説明すべく、ノイズの載ったノイズモニタ信号の波形例を示す図である。【００４７】
電源が投入されたり、制御部１５が定期的な閾値調整指示や外部からの不定期な閾値調整指示を受けると（ステップＳ１のＹＥＳルート）、制御部１５により、所定期間のノイズモニタ期間が設定され、切換部１１が、ノイズモニタ信号入力端子２ｃ（ノイズモニタ信号線５）と状態判別部６とを接続するように切り換えられ（ステップＳ２）、さらに、信号生成部１２により、上記ノイズモニタ期間の間、ノイズモニタ信号が生成されてノイズモニタ出力端子２ｂからノイズモニタ信号線５へ出力される（ステップＳ３）。【００４８】
ここでは、ノイズモニタ信号として、低位状態（Low状態／“０”）と高位状態（High状態／“１”）とを一定周期で交互に繰り返すクロック信号のごとき信号が生成されるものとする。具体的には、図６や図７に示す波形からノイズを除去した波形の信号が、ノイズモニタ信号として生成される。なお、図６および図７に示す例では、ノイズモニタ期間を、低位状態から始まるノイズモニタ信号３周期分の期間としている。また、図６には、状態判別部６が低位状態判別を行なう場合に低位状態判別用閾値を超えるノイズがノイズモニタ信号の低位状態部分に重畳した際の波形が示され、図７には、状態判別部６が高位状態判別を行なう場合に高位状態判別用閾値を下まわるノイズがノイズモニタ信号の高位状態部分に重畳した際の波形が示されている。【００４９】
ノイズモニタ信号線５へ出力されたノイズモニタ信号が、ノイズモニタ信号入力端子２ｃ（ノイズモニタ信号線５）から集積回路２に再入力されると、切換部１１を介して状態判別部６に入力され、そのノイズモニタ信号についての状態判別が状態判別部６によって行なわれ、その状態判別結果がノイズ検出部１３に入力され、このノイズ検出部１３において、その状態判別結果である波形における信号立上りの回数および信号立下りの回数の少なくとも一方が計数される（ステップＳ４）。【００５０】
例えば上述のごときノイズモニタ信号が３周期分生成されて出力された場合、ノイズモニタ信号に何らノイズが載らなければ、信号立上りの回数は３回、信号立下りの回数も３回となる。これに対し、状態判別部６が低位状態判別を行なう場合に、図６に示すごとく低位状態判別用閾値を超えるノイズが一つ載ると、そのノイズの影響でノイズ検出部１３によって計数される値信号立上りの回数も信号立下りの回数も４回となる。同様に、状態判別部６が高位状態判別を行なう場合に、図７に示すごとく高位状態判別用閾値を下まわるノイズが一つ載ると、そのノイズの影響でノイズ検出部１３によって計数される値信号立上りの回数も信号立下りの回数も４回となる。【００５１】
このようにノイズ検出部１３による計数結果（実測計数値）がノイズの全く載らない場合の理想的計数値（ここでは３）を上まわったか否かによって、閾値を用いた状態判別に影響を与えるノイズがノイズモニタ信号に載っているか否か（ノイズの有無）を判断することができる（ステップＳ５）。なお、このステップＳ５におけるノイズ有無の判断は、本実施形態では、制御部１５において行なわれるものとする。【００５２】
そして、実測計数値が理想的計数値を超えた場合つまりノイズがある場合（ステップＳ５のＹＥＳルート）、閾値調整部１４により、状態判別部６における可変抵抗器６２，６３の抵抗値が調整され、状態判別部６における状態判別に際して上述のごときノイズを拾わないように、つまり状態判別がノイズの影響を受けないように閾値が調整される（ステップＳ６）。【００５３】
具体的には、状態判別部６が低位状態判別を行なう場合、図６に示すように、低位状態の信号に載ったノイズを無視できるようにすべく、低位状態判定用閾値を所定量だけ上げるように可変抵抗器６２，６３の抵抗値が調整される。また、状態判別部６が高位状態判別を行なう場合、図７に示すように、高位状態の信号に載ったノイズを無視できるようにすべく、高位状態判定用閾値を所定量だけ下げるように可変抵抗器６２，６３の抵抗値が調整される。【００５４】
この後、ステップＳ３に戻り、再度、ノイズモニタリングを行ない（ステップＳ３〜Ｓ５）、ステップＳ５でノイズが無いと判断されるまでステップＳ３〜Ｓ５の処理が繰り返し実行される。
ステップＳ５でノイズが無いと判断されると（ＮＯルート）、制御部１５により、切換部１１が、信号入力端子２ａ（信号線４）と状態判別部６とを接続するように切り換えられ（ステップＳ７）、ステップＳ１の処理に戻る。【００５５】
このように、本発明の一実施形態としての閾値補正機能付き回路基板１，閾値補正機能付き集積回路２および閾値補正回路１０によれば、回路基板１上で集積回路２，３の間の領域で信号が受けるノイズのモニタリングが行なわれ、同時スイッチングノイズ等の影響から生じるノイズの状況を、状態判別部６で用いられる閾値のレベルにフィードバックすることができ、最適な閾値電圧（閾値のレベル）を得ることができる。【００５６】
つまり、回路基板１上の信号線４における信号が受ける各種ノイズ（クロストークノイズ，同時スイッチングノイズ，外来ノイズ，電源ノイズ／グラウンドノイズなど）がモニタされ、そのノイズの影響を考慮した信号状態判別用閾値が自動調整されることになり、高速伝送や低電力化のために信号の小振幅化を行なっても各種ノイズの影響を受けることなく信号状態判別が確実に行なわれる。【００５７】
なお、本発明は上述した実施形態に限定されるものではなく、本発明の趣旨を逸脱しない範囲で種々変形して実施することができる。
例えば、上述した実施形態では、閾値補正機能を集積回路２にそなえているが、同様の閾値補正機能を他の集積回路３にもそなえ、この集積回路３においても集積回路２と同様の閾値補正を行なうように構成してもよい。また、閾値補正回路１０を集積回路２ではなく回路基板１上に一組そなえ、この閾値補正回路１０により回路基板１上にそなえられた集積回路の閾値を一括して補正することも可能である。
以上の実施形態に関し、さらに以下の付記を開示する。
（付記１）
所定領域に配線された信号線を伝播されてきた信号の状態判別を行なう際に前記状態判別の基準として用いられる閾値を補正する閾値補正回路であって、
ノイズモニタ信号を生成する信号生成部と、
前記所定領域上に配線され、前記信号生成部によって生成された前記ノイズモニタ信号を入力されて伝播するノイズモニタ信号線と、
該ノイズモニタ信号線を伝播した前記ノイズモニタ信号に載ったノイズであって、前記閾値を用いた前記状態判別に影響を与えるノイズを検出するノイズ検出部と、
該ノイズ検出部によって前記ノイズを検出した場合に前記状態判別が前記ノイズの影響を受けないように前記閾値を調整する閾値調整部とをそなえて構成されていることを特徴とする、閾値補正回路。
（付記２）
前記信号の状態判別として、前記信号のレベルが前記閾値以下である場合に前記信号の状態は低位状態であると判別する一方で前記信号のレベルが前記閾値を超えた場合に前記信号の状態は低位状態ではないと判別する状態判別を行なう際に、
前記信号生成部が、前記ノイズモニタ信号として低位状態のノイズモニタ信号を生成して前記ノイズモニタ信号線に入力し、
前記ノイズ検出部が、前記ノイズモニタ信号線を伝播した、低位状態であるべきノイズモニタ信号において、当該ノイズモニタ信号のレベルが前記閾値を超えた状態を、前記ノイズとして検出することを特徴とする、付記１記載の閾値補正回路。
（付記３）
前記ノイズ検出部が、当該ノイズモニタ信号のレベルが前記閾値以下の状態から前記閾値を超えた状態になる信号立上りの回数と当該ノイズモニタ信号のレベルが前記閾値を超えた状態から前記閾値以下の状態になる信号立下りの回数との少なくとも一方を計数し、
前記閾値調整部が、前記ノイズ検出部による計数値に応じて前記閾値を調整することを特徴とする、付記２記載の閾値補正回路。
（付記４）
前記閾値調整部が、前記計数値が大きいほど前記閾値が高くなるように前記閾値を調整することを特徴とする、付記３記載の閾値補正回路。
（付記５）
前記信号の状態判別として、前記信号のレベルが前記閾値以上である場合に前記信号の状態は高位状態であると判別する一方で前記信号のレベルが前記閾値を下まわった場合に前記信号の状態は高位状態ではないと判別する状態判別を行なう際に、
前記信号生成部が、前記ノイズモニタ信号として高位状態のノイズモニタ信号を生成して前記ノイズモニタ信号線に入力し、
前記ノイズ検出部が、前記ノイズモニタ信号線を伝播した、高位状態であるべきノイズモニタ信号において、当該ノイズモニタ信号のレベルが前記閾値を下まわった状態を、前記ノイズとして検出することを特徴とする、付記１記載の閾値補正回路。
（付記６）
前記ノイズ検出部が、当該ノイズモニタ信号のレベルが前記閾値以上の状態から前記閾値を下まわった状態になる信号立下りの回数と当該ノイズモニタ信号のレベルが前記閾値を下まわった状態から前記閾値以上の状態になる信号立上りの回数との少なくとも一方を計数し、
前記閾値調整部が、前記ノイズ検出部による計数値に応じて前記閾値を調整することを特徴とする、付記５記載の閾値補正回路。
（付記７）
前記閾値調整部が、前記計数値が大きいほど前記閾値が低くなるように前記閾値を調整することを特徴とする、請求項６記載の閾値補正回路。
（付記８）
ノイズモニタ信号を生成する信号生成部と、
前記信号生成部によって生成された前記ノイズモニタ信号を出力するノイズモニタ信号出力端子と、
前記出力されたノイズモニタ信号を入力するノイズモニタ信号入力端子と、
該ノイズモニタ信号入力端子から入力された前記ノイズモニタ信号に載ったノイズであって、閾値を用いた状態判別に影響を与えるノイズを検出するノイズ検出部と、
該ノイズ検出部によって前記ノイズを検出した場合に前記状態判別が前記ノイズの影響を受けないように前記閾値を調整する閾値調整部とをそなえて構成されていることを特徴とする、回路。
（付記９）
当該回路において、前記状態判別として、信号のレベルが前記閾値以下である場合に前記信号の状態は低位状態であると判別する一方で前記信号のレベルが前記閾値を超えた場合に前記信号の状態は低位状態ではないと判別する状態判別を行なう際に、
前記信号生成部が、前記ノイズモニタ信号として低位状態のノイズモニタ信号を生成して前記ノイズモニタ信号線に入力し、
前記ノイズ検出部が、前記ノイズモニタ信号線を伝播した、低位状態であるべきノイズモニタ信号において、当該ノイズモニタ信号のレベルが前記閾値を超えた状態を、前記ノイズとして検出することを特徴とする、付記８記載の回路。
（付記１０）
前記ノイズ検出部が、当該ノイズモニタ信号のレベルが前記閾値以下の状態から前記閾値を超えた状態になる信号立上りの回数と当該ノイズモニタ信号のレベルが前記閾値を超えた状態から前記閾値以下の状態になる信号立下りの回数との少なくとも一方を計数し、
前記閾値調整部が、前記ノイズ検出部による計数値に応じて前記閾値を調整することを特徴とする、付記９記載の回路。
（付記１１）
前記閾値調整部が、前記計数値が大きいほど前記閾値が高くなるように前記閾値を調整することを特徴とする、付記１０記載の回路。
（付記１２）
当該回路において、信号の状態判別として、前記信号のレベルが前記閾値以上である場合に前記信号の状態は高位状態であると判別する一方で前記信号のレベルが前記閾値を下まわった場合に前記信号の状態は高位状態ではないと判別する状態判別を行なう際に、
前記信号生成部が、前記ノイズモニタ信号として高位状態のノイズモニタ信号を生成して前記ノイズモニタ信号線に入力し、
前記ノイズ検出部が、前記ノイズモニタ信号線を伝播した、高位状態であるべきノイズモニタ信号において、当該ノイズモニタ信号のレベルが前記閾値を下まわった状態を、前記ノイズとして検出することを特徴とする、付記８記載の回路。
（付記１３）
前記ノイズ検出部が、当該ノイズモニタ信号のレベルが前記閾値以上の状態から前記閾値を下まわった状態になる信号立下りの回数と当該ノイズモニタ信号のレベルが前記閾値を下まわった状態から前記閾値以上の状態になる信号立上りの回数との少なくとも一方を計数し、
前記閾値調整部が、前記ノイズ検出部による計数値に応じて前記閾値を調整することを特徴とする、付記１２記載の回路。
（付記１４）
前記閾値調整部が、前記計数値が大きいほど前記閾値が低くなるように前記閾値を調整することを特徴とする、付記１３記載の回路。
（付記８′）
回路基板上にそなえられ、該回路基板上の他の集積回路と信号線を介して信号のやり取りを行なうとともに、前記信号線を伝播されてきた前記信号の状態判別を、閾値を基準にして行なう集積回路であって、
ノイズモニタ信号を生成する信号生成部と、
前記回路基板上において当該集積回路から当該集積回路まで折り返してくるように配線されたノイズモニタ信号線に対し、前記信号生成部によって生成された前記ノイズモニタ信号を出力するノイズモニタ信号出力端子と、
前記ノイズモニタ信号線を伝播されてきた前記ノイズモニタ信号を前記ノイズモニタ信号線から当該集積回路に対し入力するノイズモニタ信号入力端子と、
該ノイズモニタ信号入力端子から入力された前記ノイズモニタ信号に載ったノイズであって、前記閾値を用いた前記状態判別に影響を与えるノイズを検出するノイズ検出部と、
該ノイズ検出部によって前記ノイズを検出した場合に前記状態判別が前記ノイズの影響を受けないように前記閾値を調整する閾値調整部とをそなえて構成されていることを特徴とする、閾値補正機能付き集積回路。
（付記９′）
当該集積回路において、前記信号の状態判別として、前記信号のレベルが前記閾値以下である場合に前記信号の状態は低位状態であると判別する一方で前記信号のレベルが前記閾値を超えた場合に前記信号の状態は低位状態ではないと判別する状態判別を行なう際に、
前記信号生成部が、前記ノイズモニタ信号として低位状態のノイズモニタ信号を生成して前記ノイズモニタ信号線に入力し、
前記ノイズ検出部が、前記ノイズモニタ信号線を伝播した、低位状態であるべきノイズモニタ信号において、当該ノイズモニタ信号のレベルが前記閾値を超えた状態を、前記ノイズとして検出することを特徴とする、付記８′記載の閾値補正機能付き集積回路。
（付記１０′）
前記ノイズ検出部が、当該ノイズモニタ信号のレベルが前記閾値以下の状態から前記閾値を超えた状態になる信号立上りの回数と当該ノイズモニタ信号のレベルが前記閾値を超えた状態から前記閾値以下の状態になる信号立下りの回数との少なくとも一方を計数し、
前記閾値調整部が、前記ノイズ検出部による計数値に応じて前記閾値を調整することを特徴とする、付記９′記載の閾値補正機能付き集積回路。
（付記１１′）
前記閾値調整部が、前記計数値が大きいほど前記閾値が高くなるように前記閾値を調整することを特徴とする、付記１０′記載の閾値補正機能付き集積回路。
（付記１２′）
当該集積回路において、前記信号の状態判別として、前記信号のレベルが前記閾値以上である場合に前記信号の状態は高位状態であると判別する一方で前記信号のレベルが前記閾値を下まわった場合に前記信号の状態は高位状態ではないと判別する状態判別を行なう際に、
前記信号生成部が、前記ノイズモニタ信号として高位状態のノイズモニタ信号を生成して前記ノイズモニタ信号線に入力し、
前記ノイズ検出部が、前記ノイズモニタ信号線を伝播した、高位状態であるべきノイズモニタ信号において、当該ノイズモニタ信号のレベルが前記閾値を下まわった状態を、前記ノイズとして検出することを特徴とする、付記８′記載の閾値補正機能付き集積回路。
（付記１３′）
前記ノイズ検出部が、当該ノイズモニタ信号のレベルが前記閾値以上の状態から前記閾値を下まわった状態になる信号立下りの回数と当該ノイズモニタ信号のレベルが前記閾値を下まわった状態から前記閾値以上の状態になる信号立上りの回数との少なくとも一方を計数し、
前記閾値調整部が、前記ノイズ検出部による計数値に応じて前記閾値を調整することを特徴とする、付記１２′記載の閾値補正機能付き集積回路。
（付記１４′）
前記閾値調整部が、前記計数値が大きいほど前記閾値が低くなるように前記閾値を調整することを特徴とする、付記１３′記載の閾値補正機能付き集積回路。
（付記１５）
信号線を介して信号のやり取りを行なうとともに前記信号線を伝播されてきた前記信号の状態判別を閾値を基準にして行なう、少なくとも２の集積回路をそなえられた回路基板であって、
ノイズモニタ信号を生成する信号生成部と、
前記少なくとも２の集積回路の間に配線され、前記信号生成部によって生成された前記ノイズモニタ信号を入力されて伝播するノイズモニタ信号線と、
該ノイズモニタ信号線を伝播した前記ノイズモニタ信号に載ったノイズであって、前記閾値を用いた前記状態判別に影響を与えるノイズを検出するノイズ検出部と、
該ノイズ検出部によって前記ノイズを検出した場合に前記状態判別が前記ノイズの影響を受けないように前記閾値を調整する閾値調整部とをそなえて構成されていることを特徴とする、閾値補正機能付き回路基板。
（付記１６）
前記信号生成部，前記ノイズ検出部および前記閾値調整部が、前記少なくとも２の集積回路の一つにそなえられるとともに、
前記ノイズモニタ信号線が、当該集積回路から他の集積回路の近傍まで配線されその近傍から当該集積回路まで折り返してくるように配線されていることを特徴とする、付記１５記載の閾値補正機能付き回路基板。
（付記１７）
前記信号の状態判別として、前記信号のレベルが前記閾値以下である場合に前記信号の状態は低位状態であると判別する一方で前記信号のレベルが前記閾値を超えた場合に前記信号の状態は低位状態ではないと判別する状態判別を行なう際に、
前記信号生成部が、前記ノイズモニタ信号として低位状態のノイズモニタ信号を生成して前記ノイズモニタ信号線に入力し、
前記ノイズ検出部が、前記ノイズモニタ信号線を伝播した、低位状態であるべきノイズモニタ信号において、当該ノイズモニタ信号のレベルが前記閾値を超えた状態を、前記ノイズとして検出することを特徴とする、付記１５または付記１６に記載の閾値補正機能付き回路基板。
（付記１８）
前記ノイズ検出部が、当該ノイズモニタ信号のレベルが前記閾値以下の状態から前記閾値を超えた状態になる信号立上りの回数と当該ノイズモニタ信号のレベルが前記閾値を超えた状態から前記閾値以下の状態になる信号立下りの回数との少なくとも一方を計数し、
前記閾値調整部が、前記ノイズ検出部による計数値に応じて前記閾値を調整することを特徴とする、付記１７記載の閾値補正機能付き回路基板。
（付記１９）
前記信号の状態判別として、前記信号のレベルが前記閾値以上である場合に前記信号の状態は高位状態であると判別する一方で前記信号のレベルが前記閾値を下まわった場合に前記信号の状態は高位状態ではないと判別する状態判別を行なう際に、
前記信号生成部が、前記ノイズモニタ信号として高位状態のノイズモニタ信号を生成して前記ノイズモニタ信号線に入力し、
前記ノイズ検出部が、前記ノイズモニタ信号線を伝播した、高位状態であるべきノイズモニタ信号において、当該ノイズモニタ信号のレベルが前記閾値を下まわった状態を、前記ノイズとして検出することを特徴とする、付記１５または付記１６に記載の閾値補正機能付き回路基板。
（付記２０）
前記ノイズ検出部が、当該ノイズモニタ信号のレベルが前記閾値以上の状態から前記閾値を下まわった状態になる信号立下りの回数と当該ノイズモニタ信号のレベルが前記閾値を下まわった状態から前記閾値以上の状態になる信号立上りの回数との少なくとも一方を計数し、
前記閾値調整部が、前記ノイズ検出部による計数値に応じて前記閾値を調整することを特徴とする、付記１９記載の閾値補正機能付き回路基板。
【産業上の利用可能性】
【００５８】
以上のように、本発明によれば、回路基板上の信号線における信号が受ける各種ノイズがモニタされ、そのノイズの影響を考慮した信号状態判別用閾値が自動調整されることになり、高速伝送や低電力化のために信号の小振幅化を行なっても各種ノイズの影響を受けることなく信号状態判別が確実に行なわれる。
従って、本発明は、ＰＣＢ等の回路基板上における信号の状態判別に用いて好適であり、その有用性は極めて高いものと考えられる。
【図１】
0004638939.tif 000002
【図２】
0004638939.tif 000003
【図３】
0004638939.tif 000004
【図４】
0004638939.tif 000005
【図５】
0004638939.tif 000006
【図６】
0004638939.tif 000007
【図７】
0004638939.tif 000008
【図８】
0004638939.tif 000009